(57)【要約】【課題】軽量、且つ、折り畳み、組み立てが容易であると共に、ペットに不安を与えることなくペットの出し入れができ、且つ、清掃が容易であるペット用バッグを得る。【解決手段】略長方形シート状の底面部２の前後端に夫々シート状の前後面部３，４を設けると共に、該底面部２の左右側端に外端が略半円状に形成された左右側面部５，６を設け、且つ、該前後面部３，４の外端部に夫々把持部７，８を形成し、更に、該左右側面部５，６の外周にファスナー９，１０を設け、一方、該前後面部３，４の夫々両側端にファスナー１１〜１４を配設し、該前後面部３、４及び該左右側面部５，６を内側に折り曲げることにより折り畳み自在であると共に、該底面部２、該前後面部３，４及び該左右側面部５，６を展開した状態から前記前後面部３，４及び前記左右側面部５，６を起立させ、且つ、前記ファスナー９〜１４を閉じることによりバッグ形状に組立て自在に構成されているペット用バッグ１を提供する。【選択図】  図１
2004344252.tif 000002
【特許請求の範囲】
【請求項１】
略長方形シート状の底面部の前後端に夫々シート状の前後面部を設けると共に、該底面部の左右側端に外端が略半円状に形成された左右側面部を設け、且つ、該前後面部の外端部に夫々把持部を形成し、更に、該左右側面部の外周にファスナーを設け、一方、該前後面部の夫々両側端にファスナーを配設し、該前後面部及び該左右側面部を内側に折り曲げることにより折り畳み自在であると共に、該底面部、該前後面部及び該左右側面部を展開した状態から前記前後面部及び前記左右側面部を起立させ、且つ、前記ファスナーを閉じることによりバッグ形状に組立て自在に構成されていることを特徴とするペット用バッグ。
【請求項２】
上記前後面部の外端部は、連結手段によって互いに連結自在に構成されていることを特徴とする請求項１記載のペット用バッグ。
【請求項３】
上記前後面部は該前後面部の両側端近傍に該両側端に平行して補強帯が配設され、上記ペット用バッグの組立て時に、対応する該補強体の外端部は相互に連結自在であることを特徴とする請求項１又は２記載のペット用バッグ。
【請求項４】
上記底面部は該底面部を保形する保形体が載置自在に構成され、該保形体はペットシーツを保持するための弾性ベルトを備えていることを特徴とする請求項１，２又は３記載のペット用バッグ。
【請求項５】
上記左右側面部は所定範囲にメッシュが配設されていることを特徴とする請求項１，２，３又は４記載のペット用バッグ。
【請求項６】
上記前後面部の内側面にペットの首輪を係止する係止手段が配設されていることを特徴とする請求項１，２，３，４又は５記載のペット用バッグ。
【請求項７】
上記把持部は上記前後面部の外端部の左右側端近傍に夫々延設部が形成され、左右側端近傍の該延設部の外端部が該前後面部と直交するように互いに結着されて形成されており、これによって、前記把持部近傍に略卵形の開口部が形成されていることを特徴とする請求項１，２，３，４，５又は６記載のペット用バッグ。
【発明の詳細な説明】
【０００１】
【発明の属する技術分野】
この発明は、ペット用バッグに関するものであり、特に、軽量、且つ、折り畳み、組み立てが容易であると共に、清掃が容易であるペット用バッグに関するものである。
【０００２】
【従来の技術および発明が解決しようとする課題】
従来の此種ペット用バッグとして、布地又は合成樹脂生地等から成るバッグ本体が底部及び左右側部に設けた保形材と、該バッグ本体に着脱自在に設けられた保形帯によって、上部がアーチ形状となるバッグに形成されるペット用バッグが知られており（特許文献１参照）、該ペット用バッグは該バッグ本体の上部にペット出入用の開口部が開穿され、該開口部には開閉自在の上蓋が配設されている。
【０００３】
而して、該ペット用バッグはコンパクトに、且つ、容易に折り畳めると共に、バッグ形状に容易に組み立て可能であり、又、前記開口部を介してペットを怖がらせることなく出し入れ可能に形成されている。
【０００４】
然しながら、該ペット用バッグは、該ペット用バッグが完全に展開状態にならないため、内部を清掃しにくい問題があり、又、保形材が底部及び左右側部に設けられるため、その分、重量が増加する。
【０００５】
更に、前記保形帯は着脱自在であるが、折り畳み時、組み立て時に該保形帯を着脱しなければならず、該着脱操作は煩雑である。
【０００６】
そこで、軽量、且つ、折り畳み、組み立てが容易であると共に、ペットに不安を与えることなくペットの出し入れができ、且つ、清掃が容易であるペット用バッグを得るために解決すべき技術的課題が生じてくるのであり、本発明はこの課題を解決することを目的とする。
【０００７】
【特許文献１】
特開平１−２１５９３２号公報  （第１−７頁、第１−７図）
【０００８】
【課題を解決するための手段】
本発明は上記目的を達成するために提案されたものであり、請求項１記載の発明は、略長方形シート状の底面部の前後端に夫々シート状の前後面部を設けると共に、該底面部の左右側端に外端が略半円状に形成された左右側面部を設け、且つ、該前後面部の外端部に夫々把持部を形成し、更に、該左右側面部の外周にファスナーを設け、一方、該前後面部の夫々両側端にファスナーを配設し、該前後面部及び該左右側面部を内側に折り曲げることにより折り畳み自在であると共に、該底面部、該前後面部及び該左右側面部を展開した状態から前記前後面部及び前記左右側面部を起立させ、且つ、前記ファスナーを閉じることによりバッグ形状に組立て自在に構成されていることを特徴とするペット用バッグである。
【０００９】
該請求項１記載の発明によると、軽量、且つ、折り畳み、組み立てが容易であると共に、ペットに不安を与えることなくペットの出し入れができ、且つ、清掃が容易であるペット用バッグを得ることができる。
【００１０】
又、請求項２記載の発明は、上記前後面部の外端部は、連結手段によって互いに連結自在に構成されていることを特徴とする請求項１記載のペット用バッグである。
【００１１】
該請求項２記載の発明によると、請求項１記載の発明の効果に加え、前記前面部と後面部を互いに連結して、ペットの逃走を防止することができる。
【００１２】
更に、請求項３記載の発明は、上記前後面部は該前後面部の両側端近傍に該両側端に平行して補強帯が配設され、上記ペット用バッグの組立て時に、対応する該補強体の外端部は相互に連結自在であることを特徴とする請求項１又は２記載のペット用バッグである。
【００１３】
該請求項３記載の発明によると、請求項１又は２記載の発明の効果に加え、該補強帯で前記前後面部を補強することができる。
【００１４】
更に又、請求項４記載の発明は、上記底面部は該底面部を保形する保形体が載置自在に構成され、該保形体はペットシーツを保持するための弾性ベルトを備えていることを特徴とする請求項１，２又は３記載のペット用バッグである。
【００１５】
該請求項４記載の発明によると、請求項１，２又は３記載の発明の効果に加え、前記底面部は前記保形体によって保形されると共に、前記保形体は弾性ベルトを備えているので、該弾性ベルトによってペットシーツの取替えも容易である。
【００１６】
そして、請求項５記載の発明は、上記左右側面部は所定範囲にメッシュが配設されていることを特徴とする請求項１，２，３又は４記載のペット用バッグである。
【００１７】
該請求項５記載の発明によると、請求項１，２，３又は４記載の発明の効果に加え、前記メッシュによって通気性を向上させることができると共に、内外部からの視界を良好にすることができる。
【００１８】
又、請求項６記載の発明は、上記前後面部の内側面にペットの首輪を係止する係止手段が配設されていることを特徴とする請求項１，２，３，４又は５記載のペット用バッグである。
【００１９】
該請求項６記載の発明によると、請求項１，２，３，４又は５記載の発明の効果に加え、前記係止手段によってペットの首輪を係止し、ペットの逃走を防止することができる。
【００２０】
更に又、請求項７記載の発明は、上記把持部は上記前後面部の外端部の左右側端近傍に夫々延設部が形成され、左右側端近傍の該延設部の外端部が該前後面部と直交するように互いに結着されて形成されており、これによって、前記把持部近傍に略卵形の開口部が形成されていることを特徴とする請求項１，２，３，４，５又は６記載のペット用バッグである。
【００２１】
該請求項７記載の発明によると、請求項１，２，３，４，５又は６記載の発明の効果に加え、前記延設部の外端部が該前後面部と直交するように結着されて形成されているので、該外端部が把持しやすくなる利点があり、又、略卵形の開口部が形成されることにより、ペット用バッグの外観を向上させることができる。
【００２２】
【発明の実施の形態】
以下、本発明の一実施の形態を図１乃至図７に従って詳述する。図１に於て、１は展開した状態を示すペット用バッグであり、該ペット用バッグ１は略長方形シート状の底面部２の前後端にシート状の前面部３と後面部４とが夫々設けられると共に、該底面部２の左右側端に外端が略半円状の左側面部５と右側面部６が夫々設けられ、且つ、該前面部３と後面部４の外端部に把持部７，８が夫々形成され、更に、前記左右側面部５，６の外周にファスナー９，１０が設けられ、一方、前記前後面部３，４の夫々両側端にファスナー１１，１２，１３，１４が配設されている。
【００２３】
そして、前記前面部３の外端部と後面部４の外端部とは、該後面部４外端部に設けた連結手段であるベルト１５のホック１６が前面部３の外端部に設けたホック１７に係合自在に設けられ、該ホック１６と、該ホック１７の係合に該前面部３外端部と、該後面部４の外端部とが互いに連結自在に構成されている。
【００２４】
又、前記前後面部３，４の両側端近傍には該側端に平行に補強帯１８，１９，２０，２１が配設され、且つ、該後面部４に配設された該補強帯２０，２１は該後面部４外端部よりも延設され、延設された該補強帯２０，２１の外端近傍にホック２２，２３が設けられ、一方、他方の補強帯１８，１９の外端近傍にホック２４，２５が設けられ、該ホック２２，２４によって該補強帯２０の外端部と補強帯１８の外端部とが相互に連結自在に構成されると共に、前記ホック２３，２５によって前記補強帯２１の外端部と補強帯１９の外端部とが相互に連結自在に構成されている。
【００２５】
更に、前記底面部２の上面には、該底面部２を保形するため該底面部２と略同形の平板状の保形体２６が載置自在に構成され、該保形体２６には該保形体２６の両側端近傍に該両側端に平行に延びる弾性ベルト２７，２８が配設されている。
【００２６】
そして、前記左右側面部５，６は該左右側面部５，６の略全面にメッシュ２９，３０が配設されている。
【００２７】
又、前記後面部４の内側面にペットの首輪を係止する係止手段としてのフック３１がベルト３２を介して配設されている。
【００２８】
更に、前記前後面部３，４の外端部の左右端近傍に延設部３ａ，３ｂ，４ａ，４ｂが形成され、該延設部３ａの外端部と、該延設部３ｂの外端部とが前記前面部３と直交するように結着されて前記把持部７が形成され，該延設部４ａの外端部と，該延設部４ｂの外端部とが前記後面部４と直交するように結着されて前記把持部８が形成され、これによって該把持部７及び８近傍に略卵形の開口部３３，３４が形成されている。
【００２９】
而して、前記ペット用バッグ１を組み立てる時は、前記底面部２、前記前後面部３，４及び前記左右側面部５，６を展開した状態で、該底面部２上面に前記弾性ベルト２７，２８によってペットシーツ３５を取り付けた保形体２６を載置したのち、前記前後面部３，４及び前記左右側面部５，６を起立させ、且つ、前記ファスナー９乃至１４を所定位置まで閉じてバッグ状態に形成する。
【００３０】
そして、前記前後面部３，４外端部を少し開いて、上方から内部にペットを入れ、前記フック３１にペットの首輪を係止して、前記ファスナー９乃至１４を完全に閉じ、且つ、対応する前記ホック１６，１７、２２乃至２５を係合すれば図２及び図３に示す如くペット用バッグ１を組み立てることができると共に、ペットを該ペット用バッグ１内に収容できる。そして、該ペット用バッグ１は前記把持部７，８を把持して携帯が可能である。
【００３１】
尚、前述の手順の一部を変更してペットを前記底面部２に置いてから前記ファスナー９乃至１４を閉じてバッグ状態に形成することも可能である。
【００３２】
又、ペットを取り出す時は、前記ホック１６，１７，２２乃至２５の係合を外し、前記ファスナー９乃至１４を所定位置まで開き、前記前後面部３，４外端部を少し開いて取り出せば良い。
【００３３】
更に、前記ペット用バッグ１を掃除する時は、前記ホック１６，１７、２２乃至２５の係合を外し、前記ファスナー９乃至１４を外せば、図１に示したように前記ペット用バッグ１は平面状に展開され、この状態で容易に掃除することができる。
【００３４】
更に又、前記底面部２から前記保形体２６を外して該保形体２６を掃除又は取り替えることができると共に、前記弾性ベルト２７，２８によって該保形体２６に取り付けた前記ペットシーツ３５を容易に取り替えることができる。
【００３５】
次に、前記ペット用バッグ１を折り畳む時は、該ペット用バッグ１を展開した状態から、図４に示す如く、前記左右側面部５，６を内側に折り畳み、次に、図５に示す如く、前記後面部４を内側に折り畳み、更に、図６に示す如く、前記前面部３を内側に折り畳み、最後に、該前面部３の把持部７を前記底面部２の裏面側に折り畳むと、図７に示す如く、コンパクトに折り畳むことができる。
【００３６】
斯くして、前記ペット用バッグ１は、軽量、且つ、折り畳み、組み立てが容易であると共に、ペットに不安を与えることなくペットの出し入れができ、且つ、清掃が容易であるペット用バッグを得ることができる。
【００３７】
又、前記前面部３の外端部と後面部４の外端部は、前記ベルト１５とホック１６，１７によって互いに連結自在に構成されているので、ペットの上方への逃走を防止できると共に、ペットの出し入れが可能である。
【００３８】
更に、前記前後面部３，４の両側端近傍には夫々の側端に平行に補強帯１８乃至２１が配設され、対応する該補強体１８乃至２１の外端部は相互に連結自在であるので、前記前後面部３，４を補強することができる。
【００３９】
更に又、前記底面部２は前記保形体２６を載置可能であるので、該保形体２６によって該底面部２は保形されると共に、前記保形体２６は弾性ベルト２７，２８を備えているので、該弾性ベルト２７，２８によってペットシーツ３５の取替えも容易である。
【００４０】
そして、前記左右側面部５，６はメッシュ２９，３０が配設されているので、該メッシュ２９，３０によって通気性を向上させることができると共に、内外部からの視界を良好にすることができる。
【００４１】
又、前記前面部３の内側面にペットの首輪を係止するフック３１が配設されているので、該フック３１によってペットの首輪を係止し、ペットの逃走を防止することができる。
【００４２】
更に又、前記延設部３ａの外端部と、前記延設部３ｂの外端部とが前記前面部３と直交するように結着され、前記延設部４ａの外端部と，前記延設部４ｂの外端部とが前記後面部４と直交するように結着されているので、該把持部７，８が把持しやすくなっており、又、該把持部７及び８近傍に略卵形の開口部３３，３４が形成されているのでペット用バッグの外観を向上させることができる。
【００４３】
尚、本発明は、本発明の精神を逸脱しない限り種々の改変を為すことができ、そして、本発明が該改変されたものに及ぶことは当然である。
【００４４】
【発明の効果】
本発明は上記一実施の形態に詳述したように、請求項１記載の発明は、ペット用バッグであって、該ペット用バッグは略長方形シート状の底面部の前後端に夫々シート状の前後面部を設けると共に、該底面部の左右側端に外端が略半円状に形成された左右側面部を設け、且つ、該前後面部の外端部に夫々把持部を形成し、更に、該左右側面部の外周にファスナーを設け、一方、該前後面部の夫々両側端にファスナーを配設しているので、該前後面部及び該左右側面部を内側に折り曲げることにより折り畳み自在であると共に、該底面部、該前後面部及び該左右側面部を展開した状態から前記前後面部及び前記左右側面部を起立させ、且つ、前記ファスナーを閉じることによりバッグ形状に組立て自在であり、軽量、且つ、折り畳み、組み立てが容易であると共に、ペットに不安を与えることなくペットの出し入れができ、且つ、清掃が容易である。
【００４５】
又、請求項２記載の発明は、上記前後面部の外端部は、連結手段によって互いに連結自在に構成されているので、請求項１記載の発明の効果に加え、前記前面部と後面部を互いに連結して、ペットの上方への逃走を防止できる。
【００４６】
更に、請求項３記載の発明は、上記前後面部は該前後面部の両側端近傍に該両側端に平行して補強帯が配設され、上記ペット用バッグの組立て時に、対応する該補強体の外端部は相互に連結自在であるので、請求項１又は２記載の発明の効果に加え、該補強帯で前記前後面部を補強することができる。
【００４７】
更に又、請求項４記載の発明は、上記底面部は該底面部を保形する保形体が載置自在に構成され、該保形体はペットシーツを保持するための弾性ベルトを備えているので、請求項１，２又は３記載の発明の効果に加え、前記底面部は前記保形体によって保形されると共に、前記保形体は弾性ベルトを備えているので、該弾性ベルトによってペットシーツの取替えも容易である。
【００４８】
そして、請求項５記載の発明は、上記左右側面部は所定範囲にメッシュが配設されているので、請求項１，２，３又は４記載の発明の効果に加え、前記メッシュによって通気性を向上させることができると共に、内外部からの視界を良好にすることができる。
【００４９】
又、請求項６記載の発明は、上記前後面部の内側面にペットの首輪を係止する係止手段が配設されているので、請求項１，２，３，４又は５記載の発明の効果に加え、前記係止手段によってペットの首輪を係止し、ペットの逃走を防止することができる。
【００５０】
更に又、請求項７記載の発明は、上記把持部は上記前後面部の外端部の左右側端近傍に夫々延設部が形成され、左右側端近傍の該延設部の外端部が該前後面部と直交するように互いに結着されて形成されており、これによって、前記把持部近傍に略卵形の開口部が形成されているので、請求項１，２，３，４，５又は６記載の発明の効果に加え、前記把持部が把持しやすくなると共に、前記略卵形の開口部によってペット用バッグの外観を向上させることができる等、正に著大なる効果を奏する発明である。
【図面の簡単な説明】
【図１】本発明の一実施の形態を示し、ペット用バッグの展開図。
【図２】本発明の一実施の形態を示し、ペット用バッグの正面図。
【図３】図２のペット用バッグの側面図。
【図４】図１の左右側面部を折り畳んだ状態のペット用バッグの平面図。
【図５】図１の左右側面部と後面部を折り畳んだ状態のペット用バッグの平面図。
【図６】図１の左右側面部と後面部と前面部を折り畳んだ状態のペット用バッグの平面図。
【図７】本発明の一実施の形態を示し、折り畳んだ状態のペット用バッグの平面図。
【符号の説明】
１          ペット用バッグ
２          底面部
３          前面部
３ａ，３ｂ，４ａ，４ｂ  延設部
４          後面部
５          左側面部
６          右側面部
７，８      把持部
９，１０，１１，１２，１３，１４  ファスナー
１８，１９，２０，２１    補強帯
２６          保形体
２７，２８    弾性ベルト
２９，３０    メッシュ
３３，３４    開口部
【図１】
2004344252.tif 000003
【図２】
2004344252.tif 000004
【図３】
2004344252.tif 000005
【図４】
2004344252.tif 000006
【図５】
2004344252.tif 000007
【図６】
2004344252.tif 000008
【図７】
2004344252.tif 000009